(57)【特許請求の範囲】
【請求項１】
移動局と通信する無線基地局であって、
前記移動局における上りリンク信号の送信電力を推定するように構成されている電力推定部と、
前記移動局によって送信される上りリンク信号の送信フォーマットとして、該上りリンク信号の送信帯域幅及び送信周波数を決定するように構成されている送信フォーマット決定部と、
前記移動局に対して、決定した前記送信フォーマットで上りリンク信号を送信するように指示するように構成されている送信指示部とを具備し、
前記送信フォーマット決定部は、前記送信電力の推定値に基づいて、前記上りリンク信号の送信帯域幅を決定し、かつ、前記送信電力が最大送信電力以下となるように、前記上りリンク信号の送信帯域幅を小さくするように構成されており、
前記送信フォーマット決定部は、前記上りリンク信号の送信帯域幅を小さくする場合に、前記移動局が通信を行っているセルの識別情報に基づいて、削除すべき上りリンク信号の送信周波数の決定方法を変更することを特徴とする無線基地局。
【請求項２】
移動局と通信する無線基地局における通信制御方法であって、
前記移動局における上りリンク信号の送信電力を推定する第１ステップと、
前記移動局によって送信される上りリンク信号の送信フォーマットとして、該上りリンク信号の送信帯域幅及び送信周波数を決定する第２ステップと、
前記移動局に対して、決定した前記送信フォーマットで上りリンク信号を送信するように指示する第３ステップとを有し、
前記第２ステップにおいて、前記送信電力の推定値に基づいて、前記上りリンク信号の送信帯域幅を決定し、かつ、前記送信電力が最大送信電力以下となるように、前記上りリンク信号の送信帯域幅を小さくしており、
前記第２ステップにおいて、前記上りリンク信号の送信帯域幅を小さくする場合に、前記移動局が通信を行っているセルの識別情報に基づいて、削除すべき上りリンク信号の送信周波数の決定方法を変更することを特徴とする通信制御方法。
【発明の詳細な説明】
【技術分野】
【０００１】
本発明は、無線基地局及び通信制御方法に関する。
【背景技術】
【０００２】
広帯域符号分割多重接続（Ｗ-ＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）方式や、高速下りリンクパケットアクセス（ＨＳＤＰＡ）方式や、高速上りリンクパケットアクセス（ＨＳＵＰＡ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、Ｗ-ＣＤＭＡの標準化団体３ＧＰＰで検討されている。【０００３】
ＬＴＥ方式を用いた無線アクセス方式として、下りリンクについては、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式が使用され、上りリンクについては、シングルキャリア周波数分割多重接続（ＳＣ-ＦＤＭＡ：Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が使用されることが有望視されている。【０００４】
ＯＦＤＭＡ方式は、周波数帯域を複数の狭い周波数帯域（サブキャリア）に分割し、各サブキャリアにデータを載せて伝送を行うマルチキャリア伝送方式である。サブキャリアを周波数軸上に直交させながら密に並べることで高速伝送を実現し、周波数の利用効率を上げることが期待できる。【０００５】
ＳＣ-ＦＤＭＡ方式は、周波数帯域を端末毎に分割し、複数の端末間で異なる周波数帯域を用いて伝送するシングルキャリア伝送方式である。端末間の干渉を簡易且つ効果的に低減することができることに加えて送信電力の変動を小さくできるので、ＳＣ-ＦＤＭＡ方式は、端末の低消費電力化及びカバレッジの拡大等の観点から好ましい。【０００６】
図４を用いて、ＬＴＥ方式の移動通信システムにおいて上りリンクのデータ信号を送信する動作について説明する。【０００７】
ＬＴＥ方式の移動通信システムにおける上りリンクでは、無線基地局が、データ信号の送信フォーマットを決定し、移動局に対して、かかる送信フォーマットを通知し、かつ、かかるデータ信号の送信を指示する制御信号を通知する。【０００８】
移動局は、かかる制御信号を受信した場合に、所定のタイミングにおいて、無線基地局に対して、データ信号を送信する。ここで、かかる制御信号は、上りリンクのスケジューリンググラント（Ｕｐｌｉｎｋ  Ｓｃｈｅｄｕｌｉｎｇ  Ｇｒａｎｔ）と呼ばれる。【０００９】
図４において、所定のタイミングは、制御信号が送信されるサブフレームを「ｎ」とすると「ｎ＋４」のサブフレームである。なお、かかる上りリンクのスケジューリンググラントは、下りリンク制御情報（Ｄｏｎｗｌｉｎｋ  Ｃｏｎｔｒｏｌ  Ｉｎｆｏｒｍａｔｉｏｎ（ＤＣＩ））の１つであり、そのフォーマット（ＤＣＩ  ｆｏｒｍａｔ）としては、「ＤＣＩ  ｆｏｒｍａｔ  ０」である。【００１０】
ところで、一般に、移動通信システムにおける上りリンクでは、移動局の送信電力に上限（最大値）が存在する。例えば、ＬＴＥ方式の移動通信システムにおける移動局の最大送信電力は、２３ｄＢｍである。【００１１】
この最大送信電力により、移動局の送信電力が制限を受ける場合、無線基地局の受信端において、所要のＳＩＲを実現することが困難になると考えられる。【００１２】
例えば、セル端にいる移動局は、無線基地局との間のパスロスが大きいため、そのパスロスを補償することのできる大きな送信電力で、上りリンクのデータ信号を送信する必要があるが、かかる送信電力が最大送信電力で制限を受けた場合、上述のパスロスを十分に補償することができず、結果として、所要のＳＩＲを実現することが困難となる。【００１３】
なお、上述した最大送信電力による制限により、所要のＳＩＲを実現することができないという問題に対し、例えば、図５に示すように、上りリンクのデータ信号の送信帯域幅を低減することにより、無線基地局の受信端におけるＳＩＲを改善するという方法が存在する。【００１４】
すなわち、図５においては、Ｃａｓｅ２の場合に、Ｃａｓｅ１に比べて、送信帯域幅が低減されており、結果として、単位帯域幅あたりの信号電力が大きくなっており、結果として、無線基地局の受信端におけるＳＩＲが改善されている。
【発明の概要】
【発明が解決しようとする課題】
【００１５】
上述したように、セル端のような、上りリンクにおける移動局の送信電力が最大送信電力により制限されるような環境においては、送信帯域幅を小さくすることにより、無線基地局の受信端におけるＳＩＲを改善するという方法が存在する。【００１６】
しかしながら、上述の改善方法には以下の問題点がある。【００１７】
例えば、図６に示すように、隣接する２つのセル（図６の例では、セル１とセル２）において、上述の改善方法が適用され、かつ、そのデータ信号の送信周波数が同じである場合（図６の例では、セル１の移動局Ａのデータ信号の送信周波数とセル２の移動局Ｂのデータ信号の送信周波数とが同じである場合）、お互いの信号（図６の例では、移動局Ａの信号と移動局Ｂの信号）が互いに干渉し合うという問題が生じる。なお、上述したように、セル端においては、上りリンクのデータ信号の送信電力が大きくなるため、上述の干渉による影響は深刻であると考えられる。【００１８】
そこで、本発明は、上述の課題に鑑みてなされたものであり、所定条件に基づいて上りリンクのデータ信号の送信周波数及び送信周波数帯域幅を適切に設定することにより、セル間の干渉を低減することを可能とする無線基地局及び通信制御方法を提供することを目的とする。
【課題を解決するための手段】
【００１９】
本発明の第１の特徴は、移動局と通信する無線基地局であって、前記移動局における上りリンク信号の送信電力を推定するように構成されている電力推定部と、前記移動局によって送信される上りリンク信号の送信フォーマットとして、該上りリンク信号の送信帯域幅及び送信周波数を決定するように構成されている送信フォーマット決定部と、前記移動局に対して、決定した前記送信フォーマットで上りリンク信号を送信するように指示するように構成されている送信指示部とを具備し、前記送信フォーマット決定部は、前記送信電力の推定値に基づいて、前記上りリンク信号の送信帯域幅を決定し、かつ、所定条件に基づいて、該上りリンク信号の送信周波数を決定するように構成されていることを要旨とする。【００２０】
本発明の第２の特徴は、移動局と通信する無線基地局における通信制御方法であって、前記移動局における上りリンク信号の送信電力を推定する第１ステップと、前記移動局によって送信される上りリンク信号の送信フォーマットとして、該上りリンク信号の送信帯域幅及び送信周波数を決定する第２ステップと、前記移動局に対して、決定した前記送信フォーマットで上りリンク信号を送信するように指示する第３ステップとを有し、前記第２ステップにおいて、前記送信電力の推定値に基づいて、前記上りリンク信号の送信帯域幅を決定し、かつ、所定条件に基づいて、該上りリンク信号の送信周波数を決定することを要旨とする。
【発明の効果】
【００２１】
以上説明したように、本発明によれば、所定条件に基づいて上りリンクのデータ信号の送信周波数及び送信周波数帯域幅を適切に設定することにより、セル間の干渉を低減することを可能とする無線基地局及び通信制御方法を提供することができる。
【図面の簡単な説明】
【００２２】
【図１】図１は、本発明の第１の実施形態に係る無線基地局の機能ブロック図である。
【図２】図２は、本発明の第１の実施形態に係る無線基地局の送信フォーマット決定部によって送信フォーマットを決定する方法を説明するための図である。
【図３】図３は、本発明の第１の実施形態に係る無線基地局の動作を示すフローチャートである。
【図４】図４は、従来の移動通信システムの動作を示すシーケンス図である。
【図５】図５は、従来の無線基地局によって送信フォーマットを決定する方法を説明するための図である。
【図６】図６は、従来の無線基地局の問題点を説明するための図である。
【発明を実施するための形態】
【００２３】
（本発明の第１の実施形態に係る無線基地局）
図１及び図２を参照して、本発明の第１の実施形態に係る無線基地局ｅＮＢについて説明する。
【００２４】
図１に示すように、本実施形態に係る無線基地局ｅＮＢは、電力推定部１１と、セル情報取得部１２と、送信フォーマット決定部１３と、送信指示部１４と、信号受信部１５とを具備している。
【００２５】
電力推定部１１は、移動局ＵＥにおける上りリンク信号（上りリンクのデータ信号）の送信電力を推定するように構成されている。
【００２６】
例えば、電力推定部１１は、無線基地局ｅＮＢと移動局ＵＥとの間のパスロスや移動局ＵＥによって送信された上りリンク信号の受信電力に基づいて、移動局ＵＥにおける上りリンク信号の送信電力を推定するように構成されていてもよい。
【００２７】
具体的には、第１に、電力推定部１１は、（式１）によって、上述の送信電力の推定値Ｔｘｐｏｗを算出するように構成されている。
【００２８】
Ｔｘｐｏｗ＝１０・ｌｏｇ１０Ｎａｌｌｏｃａｔｅｄ＋ＰＯ_ＰＵＳＣＨ＋α・ＰＬ＋ΔＴＦ（ＴＦ（ｉ））＋ｆ（ｉ）  …  （式１）
ここで、Ｎａｌｌｏｃａｔｅｄは、上りリンク信号の送信用に割り当てるリソースブロック（ＲＢ：Ｒｅｓｏｕｒｃｅ  Ｂｌｏｃｋ）の数である。ＰＯ_ＰＵＳＣＨは、３ＧＰＰ規格であるＴＳ３６.２１３に規定されている値であって、外部インターフェイスを介して設定される値である。ｆ（ｉ）は、上述の送信電力の推定値Ｔｘｐｏｗを算出するサブフレームまでに送信したＴＰＣコマンドの合計値である。ＰＬは、上述のパスロスである。αは、３ＧＰＰ規格であるＴＳ３６.２１３に規定されている減衰係数（Ａｔｔｅｎｕａｔｉｏｎ  ｆａｃｔｏｒ）であって、外部インターフェイスを介して設定される値である。例えば、ΔＴＦは、常に「０ｄＢ」が設定されているものとする。
【００２９】
なお、電力推定部１１は、例えば、移動局ＵＥから報告される「Ｐｏｗｅｒ  Ｈｅａｄｒｏｏｍ」から移動局ＵＥの送信電力を算出し、かつ、前記移動局ＵＥからの上りリンクの信号の受信レベルを測定し、前記送信電力と前記受信レベルとに基づいて、上述したＰＬ（パスロス）を算出してもよい。
【００３０】
ここで、「Ｐｏｗｅｒ  Ｈｅａｄｒｏｏｍ」とは、移動局ＵＥから通知される、現在の送信電力と最大送信電力との差分を示すシグナリングである。
【００３１】
或いは、電力推定部１１は、「Ｐｏｗｅｒ  Ｈｅａｄｒｏｏｍ」の値から、直接、ＰＬ（パスロス）を算出してもよい。具体的には、電力推定部１１は、以下の（式２）に基づいて、ＰＬを算出してもよい。
【数１】
0005619631.tif 000002
【００３２】
ここで、Ｍは、「Ｐｏｗｅｒ  Ｈｅａｄｒｏｏｍ」を報告するためのＰＵＳＣＨのリソースブロック数であり、ＰＨは、「Ｐｏｗｅｒ  Ｈｅａｄｒｏｏｍ」により指定された値であり、Ｐｍａｘは、移動局ＵＥの最大送信電力である。なお、（式２）は、移動局ＵＥから報告される「Ｐｏｗｅｒ  Ｈｅａｄｒｏｏｍ」が以下のように定義されていることから導き出される。
【数２】
0005619631.tif 000003
【００３３】
セル情報取得部１２は、移動局ＵＥが通信を行っているセルに関連する情報を取得するように構成されている。例えば、セル情報取得部１２は、移動局ＵＥが通信を行っているセルに関連する情報として、移動局ＵＥが通信を行っているセルを識別するセル識別情報（セルＩＤ）を取得するように構成されている。かかるセルＩＤは、例えば、物理レイヤのセルＩＤ、すなわち、Ｐｈｙｓｉｃａｌ  Ｃｅｌｌ  ＩＤであってもよい。
【００３４】
送信フォーマット決定部１３は、移動局ＵＥによって送信される上りリンク信号の送信フォーマットを決定するように構成されている。例えば、かかる上りリンク信号の送信フォーマットには、上りリンク信号の送信帯域幅及び送信周波数等が含まれる。
【００３５】
なお、前記上りリンク信号の送信帯域幅とは、例えば、上りリンク信号に割り当てられるリソースブロックの数であってもよい。また、かかる上りリンク信号の送信周波数は、例えば、上りリンク信号に割り当てられるリソースブロックの番号であってもよい。
【００３６】
ここで、以下の説明では、同一サブフレーム内に多重される移動局ＵＥの数や、当該移動局ＵＥに関する帯域毎の受信品質、より具体的にはＳＩＲ等に基づいて決定されるリソースブロックの集合を、Ｔｅｍｐｏｒａｒｙ  ＲＢ  Ｇｒｏｕｐと定義する。
【００３７】
より具体的には、例えば、同一サブフレーム内に多重される移動局ＵＥの数が「３」である場合、１台の移動局ＵＥのＴｅｍｐｏｒａｒｙ  ＲＢ  ＧｒｏｕｐのＲＢ数は、例えば、システム帯域幅のＲＢ数の３分の１であってもよい。
【００３８】
この場合、１台のＵＥに割り当てられる送信帯域幅、すなわち、リソースブロック数は、システム帯域を同一サブフレーム内に多重される移動局ＵＥの数で均等に分配された値となる。
【００３９】
また、例えば、かかるＴｅｍｐｏｒａｒｙ  ＲＢ  Ｇｒｏｕｐの周波数的な位置は、各サブ帯域の受信ＳＩＲに基づき、最も受信ＳＩＲが高いサブ帯域に設定されてもよい。
【００４０】
ここで、かかるサブ帯域とは、システム帯域を、複数の帯域に分割した場合の、分割された帯域のことを指す。なお、かかるサブ帯域の受信ＳＩＲは、例えば、移動局ＵＥから送信されるサウンディングリファレンス信号の受信ＳＩＲにより決定されてもよい。
【００４１】
以下の説明では、送信フォーマット決定部１３において、Ｔｅｍｐｏｒａｒｙ  ＲＢ  Ｇｒｏｕｐの送信帯域幅（リソースブロックの数）が、上りリンク信号の送信電力に基づいて、低減され、かつ、その送信周波数（リソースブロックの番号）が決定される処理を説明する。
【００４２】
具体的には、送信フォーマット決定部１３は、電力推定部１１によって推定された上りリンク信号の送信電力（送信電力の推定値）に基づいて、上りリンク信号の送信帯域幅を決定し、かつ、所定条件に基づいて、上りリンク信号の送信周波数を決定するように構成されている。
【００４３】
例えば、送信フォーマット決定部１３は、上述の送信電力が最大送信電力以下となるように、上りリンク信号の送信帯域幅を小さくするように構成されていてもよい。ここで、上りリンク信号の送信電力は、（上りリンク信号の送信帯域幅）×（上りリンク信号の単位帯域あたりの送信電力）によって決定されるものとする。
【００４４】
また、送信フォーマット決定部１３は、セル情報取得部１２によって取得されたセルに関連する情報（例えば、セルＩＤ）に基づいて、上りリンク信号の送信周波数を決定するように構成されていてもよい。
【００４５】
具体的には、送信フォーマット決定部１３は、電力推定部１１によって算出された送信電力の推定値Ｔｘｐｏｗが最大送信電力Ｐｍａｘよりも大きい場合、（式３）によって、送信電力が最大送信電力Ｐｍａｘより大きくならないように送信可能であるリソースブロック数Ｎａｌｌｏｃａｔｅｄを決定し、そして、かかるＮａｌｌｏｃａｔｅｄに基づいて上りリンク信号の送信帯域幅を小さくする、すなわち、上りリンク信号の送信用に割り当てるリソースブロックの数をＮａｌｌｏｃａｔｅｄ以下に減らすように構成されている。
【数３】
0005619631.tif 000004
【００４６】
例えば、送信フォーマット決定部１３は、上りリンク信号の送信用に割り当てるリソースブロックの数がＮａｌｌｏｃａｔｅｄ以下となるまで、「Ｔｅｍｐｏｒａｒｙ  ＲＢ  Ｇｒｏｕｐ」内のリソースブロックを削除していくように構成されている。
【００４７】
例えば、送信フォーマット決定部１３は、上りリンク信号の送信用に割り当てるリソースブロックの数がＮａｌｌｏｃａｔｅｄ以下となるまで、かつ、サブキャリア数が２、３、５のみを因数に持つように、「Ｔｅｍｐｏｒａｒｙ  ＲＢ  Ｇｒｏｕｐ」内のリソースブロックを削除していくように構成されていてもよい。
【００４８】
図２に示すように、送信フォーマット決定部１３は、３で割った値が「０」となるＰＣＩ（Ｐｈｙｓｉｃａｌ  Ｃｅｌｌ  ＩＤ）によって特定されるセルにおいては、「Ｔｅｍｐｏｒａｒｙ  ＲＢ  Ｇｒｏｕｐ」内のリソースブロックＲＢ＃０乃至＃２を、周波数の最も大きいリソースブロックから順に削除していくように構成されている。
【００４９】
図２の例では、送信フォーマット決定部１３は、３で割った値が「０」となるＰＣＩによって特定されるセルにおいては、「Ｔｅｍｐｏｒａｒｙ  ＲＢ  Ｇｒｏｕｐ」内のリソースブロックＲＢ＃０乃至＃２の中から、リソースブロックＲＢ＃１及び＃２を削除するように構成されている。
【００５０】
また、送信フォーマット決定部１３は、３で割った値が「２」となるＰＣＩによって特定されるセルにおいては、「Ｔｅｍｐｏｒａｒｙ  ＲＢ  Ｇｒｏｕｐ」内のリソースブロックＲＢ＃０乃至＃２を、周波数の最も小さいリソースブロックから順に削除していくように構成されている。
【００５１】
図２の例では、送信フォーマット決定部１３は、３で割った値が「２」となるＰＣＩによって特定されるセルにおいては、「Ｔｅｍｐｏｒａｒｙ  ＲＢ  Ｇｒｏｕｐ」内のリソースブロックＲＢ＃０乃至＃２の中から、リソースブロックＲＢ＃０及び＃１を削除するように構成されている。
【００５２】
また、送信フォーマット決定部１３は、３で割った値が「１」となるＰＣＩによって特定されるセルにおいては、「Ｔｅｍｐｏｒａｒｙ  ＲＢ  Ｇｒｏｕｐ」内のリソースブロックＲＢ＃０乃至＃２を、周波数の最も大きいリソースブロック、周波数の最も小さいリソースブロック、周波数の２番目に大きいリソースブロック、周波数の２番目に小さいリソースブロック…といったように順に削除していくように構成されている。
【００５３】
図２の例では、送信フォーマット決定部１３は、３で割った値が「１」となるＰＣＩによって特定されるセルにおいては、「Ｔｅｍｐｏｒａｒｙ  ＲＢ  Ｇｒｏｕｐ」内のリソースブロックＲＢ＃０乃至＃２の中から、リソースブロックＲＢ＃０及び＃２を削除するように構成されている。
【００５４】
なお、上述した例では、リソースブロックを削除する前の、上り信号の送信用に割り当てるリソースブロックの数が「３」である場合を示したが、「３」以外の値（例えば、「５」や「７」やそれ以外の値）であってもよい。
【００５５】
ここで、送信フォーマット決定部１３は、上りリンク信号の送信電力を決定する際に、３ＧＰＰ規格であるＴＳ３６.１０１に規定されている「ＭＰＲ（Ｍａｘｉｍｕｍ  Ｐｏｗｅｒ  Ｒｅｄｕｃｔｉｏｎ）について考慮しないように構成されていてもよい。
【００５６】
或いは、送信フォーマット決定部１３は、上りリンク信号の送信電力を決定する際に、３ＧＰＰ規格であるＴＳ３６.１０１に規定されている「ＭＰＲ（Ｍａｘｉｍｕｍ  Ｐｏｗｅｒ  Ｒｅｄｕｃｔｉｏｎ）を考慮するように構成されていてもよい。
【００５７】
送信指示部１４は、移動局ＵＥに対して、決定した送信フォーマットで上りリンク信号を送信するように指示するように構成されている。例えば、送信指示部１４は、下りリンク制御情報、すなわち、上述の上りリンクのスケジューリンググラントを用いて、かかる指示を行うように構成されている。
【００５８】
信号受信部１５は、移動局ＵＥによって、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を介して送信された上りリンク信号（上りリンクのデータ信号）を受信するように構成されている。
【００５９】
（本発明の第１の実施形態に係る無線基地局の動作）
図３を参照して、本発明の第１の実施形態に係る無線基地局ｅＮＢの動作について説明する。
【００６０】
図３に示すように、ステップＳ１０１において、本実施形態に係る無線基地局ｅＮＢの電力推定部１１は、（式１）によって、移動局ＵＥにおける上りリンク信号の送信電力を推定する。
【００６１】
ステップＳ１０２において、無線基地局ｅＮＢの送信フォーマット決定部１３は、かかる上りリンク信号の送信電力の推定値に基づいて、すなわち、（式３）によって、かかる上りリンク信号の送信帯域幅を決定する。
【００６２】
ステップＳ１０３において、無線基地局ｅＮＢの送信フォーマット決定部１３は、移動局ＵＥが通信を行っているセルを特定するセルＩＤに基づいて、かかる上りリンク信号の送信周波数を決定する。
【００６３】
（本発明の第１の実施形態に係る無線基地局の作用・効果）
本発明の第１の実施形態に係る無線基地局ｅＮＢによれば、所定条件に基づいて上りリンク信号の送信周波数及び送信周波数帯域幅を適切に設定することにより、セル間の干渉を低減することができる。
【００６４】
すなわち、本発明の第１の実施形態に係る無線基地局ｅＮＢによれば、移動局ＵＥにおける上りリンク信号の送信電力の推定値が最大送信電力を超える場合、同一の「Ｔｅｍｐｏｒａｒｙ  ＲＢ  Ｇｒｏｕｐ」が割り当てられる複数のセル間で、かかる「Ｔｅｍｐｏｒａｒｙ  ＲＢ  Ｇｒｏｕｐ」内のリソースブロックの中から異なるリソースブロックを削除することによって、セル間の干渉を低減することができる。
【００６５】
なお、上述した例においては、セルＩＤに基づいて、上りリンク信号の送信周波数を決定する場合を示したが、代わりに、隣接するセルで、上りリンクの送信周波数が異なるのであれば、上記以外の方法で、上りリンク信号の送信周波数を決定してもよい。
【００６６】
例えば、セルＩＤとして、Ｐｈｙｓｉｃａｌ  Ｃｅｌｌ  ＩＤ（ＰＣＩ）ではなく、各セルに適用されるスクランブリングコードのＩＤや、セルグローバルＩＤ等を用いて、同様の制御を行ってもよい。
【００６７】
以上に述べた本実施形態の特徴は、以下のように表現されていてもよい。
【００６８】
本実施形態の第１の特徴は、移動局ＵＥと通信する無線基地局ｅＮＢであって、移動局ＵＥにおける上りリンク信号の送信電力を推定するように構成されている電力推定部１１と、移動局ＵＥによって送信される上りリンク信号の送信フォーマットとして、上りリンク信号の送信帯域幅及び送信周波数を決定するように構成されている送信フォーマット決定部１３と、移動局ＵＥに対して、決定した送信フォーマットで上りリンク信号を送信するように指示するように構成されている送信指示部１４とを具備し、送信フォーマット決定部１３は、上述の送信電力の推定値に基づいて、上りリンク信号の送信帯域幅を決定し、かつ、所定条件に基づいて、上りリンク信号の送信周波数を決定するように構成されていることを要旨とする。
【００６９】
本実施形態の第１の特徴において、送信フォーマット決定部１３は、上述の送信電力が最大送信電力以下となるように、上りリンク信号の送信帯域幅を小さくするように構成されていてもよい。
【００７０】
本実施形態の第１の特徴において、送信フォーマット決定部１３は、移動局ＵＥが通信を行っているセルに関連する情報に基づいて、上りリンク信号の送信周波数を決定するように構成されていてもよい。
【００７１】
本実施形態の第１の特徴において、セルに関連する情報は、セルの識別情報であってもよい。
【００７２】
本実施形態の第２の特徴は、移動局ＵＥと通信する無線基地局ｅＮＢにおける通信制御方法であって、移動局ＵＥにおける上りリンク信号の送信電力を推定する第１ステップと、移動局ＵＥによって送信される上りリンク信号の送信フォーマットとして、上りリンク信号の送信帯域幅及び送信周波数を決定する第２ステップと、移動局ＵＥに対して、決定した送信フォーマットで上りリンク信号を送信するように指示する第３ステップとを有し、第２ステップにおいて、上述の送信電力の推定値に基づいて、上りリンク信号の送信帯域幅を決定し、かつ、所定条件に基づいて、上りリンク信号の送信周波数を決定することを要旨する。
【００７３】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005619631.tif 000005
【図２】
0005619631.tif 000006
【図３】
0005619631.tif 000007
【図４】
0005619631.tif 000008
【図５】
0005619631.tif 000009
【図６】
0005619631.tif 000010